(57)【特許請求の範囲】
【請求項１】
外枠の内側にルーバーを嵌め込み、該ルーバーの片端を支軸により回動可能に支持し、自由端にはルーバーのフィンを連動させるロック手段を設けてなる可脱出ロックルーバーであって、上記ロック手段は、上記ルーバーの自由端にピンにより回動可能に取り付けられ円弧状長孔を有するレバーの作用点に中間リンクを介してロック摺動片が連結され、上記レバーの操作によって上記ロック摺動片が外枠に取り付けられた受容金具に対して進退するようになり、上記フィンを連動させる機構は、足長鋲を上記レバーの円弧状長孔を通してフィンの端面に植設してなり、上記レバーを、摺動片が受容金具から退出する方向に廻すと、フィンの端に植設された足長鋲が円弧状長孔の端に当たって蹴り上げられ、支軸を軸にしてフィンが閉じる方向に回転するようにしてなる可脱出ロックルーバー。
【発明の詳細な説明】
【０００１】
【発明の属する技術分野】
この発明は緊急脱出可能にしたルーバーであって、通常の使用状態では完全なロック状態を維持し、不法侵入者が外部から上記ロックを外すことができない構造の可脱出ロックルーバーに関する。
【０００２】
【従来の技術】
ルーバーは採光と通風の調節を可能にするものでありながら、覗き見と不法侵入を防止することを目的としたもので、近年高層住宅に多く採用されているが、もし火災が発生し、出口が閉ざされたときは緊急脱出ができるようにする必要がある。
【０００３】
【発明が解決しようとする課題】
これまで提案されてきた緊急脱出可能なルーバーを見ると、外枠にルーバーをロックするときはクレセントロックのようなものが採用されていて、フィンを水平にすると外部から手指を差し込んで簡単にロックを解除することができ、これでは防犯効果を得ることはできない。
【０００４】
また、従来の緊急脱出ルーバー（面格子）を見ると、その殆どがルーバーを脱出のために開放した状態でも屈伸する控え金が付いていて十分開放されないものであった。
【０００５】
この発明は上記の状況に鑑み、ルーバーをロックしたときは外部から該ロックを絶対に解除することができず、緊急脱出をするときは内部から簡単にロックを外してルーバーを十分開き得るようにし、かつ、通常使用状態では、フィンの角度が任意に、しかも分割して調節できるようにしたルーバーを提供しようとするものである。
【０００６】
【課題を解決するための手段】
上記課題を解決するためにこの発明は、外枠の内側にルーバーを嵌め込み、該ルーバーの片端を支軸により回動可能に支持し、自由端にはルーバーのフィンを連動させるロック手段を設けてなる可脱出ロックルーバーであって、上記ロック手段は、上記ルーバーの自由端にピンにより回動可能に取り付けられ円弧状長孔を有するレバーの作用点に中間リンクを介してロック摺動片が連結され、上記レバーの操作によって上記ロック摺動片が外枠に取り付けられた受容金具に対して進退するようになり、上記フィンを連動させる機構は、足長鋲を上記レバーの円弧状長孔を通してフィンの端面に植設してなり、上記レバーを、摺動片が受容金具から退出する方向に廻すと、フィンの端に植設された足長鋲が円弧状長孔の端に当たって蹴り上げられ、支軸を軸にしてフィンが閉じる方向に回転するようにしてなる構成としたものである。
【０００７】
上記の如く構成するこの発明によれば、外枠とルーバーの自由端に間に設けたロック手段を、室内から掛けることにより外部からの進入を阻止し、室内のプライバシーを護ることができ、ロック手段とフィン傾斜角調整手段とを連動させることによりロックを外そうとするとフィンが閉塞するので、フィンの隙間から手を差込みロックを外すことはできない。しかも、レバーの円弧状長孔を介してフィンを連動させているこので通常の状態では自由にフィンの傾斜角を調整することができる。
【０００８】
【発明の実施の形態】
次に図面を参照しながらこの発明の実施形態を説明する。図３、図４に示すようにこの発明は、外枠１０の内側に二枚のルーバー１１が嵌め込まれ、該二枚のルーバー１１の端は互いに接して支軸１２により回動可能に支持され、該ルーバー１１の両外の自由端には、フィン１３を連動させるロック手段１４が設けられている。
【０００９】
上記ロック手段１４は図１、図２に示すように、ルーバー１１の自由端面にピン１５により円弧状長孔１６を有するレバー１７が回動可能に取り付けられ、このレバー１７の作用点にはピン１８と中間リンク１９を介して鉤形摺動片２０が連結され、この鉤形摺動片２０の端は外枠１０の内面に設けられた受容金具２１に対して進退するようになっている。なお、２２はレバー１７を操作する把手である。
【００１０】
上記鉤形摺動片２０は、その裏側に一体に形成された摺動子２３がルーバー１１の端部材２４の軌道溝２５に嵌まり所定の位置で摺動するようになっており、上記受容金具２１は外枠１０の内面に形成されたアリ溝２６に取付け片２７が装填され、該取付け片２７と鉤形摺動片２１の間にビスネジ（図省略）により位置調整可能に取り付けられている。
【００１１】
上記フィン１３を連動させる機構は、ルーバー１１の自由端の端面に取り付けられた上記レバー１７の円弧状長孔１６を通してフィン１３の鋲保持リブ２８に足長鋲２９が打ち込まれて構成している。なお、多数のフィン１３はルーバー枠３１に支軸３２により回動可能に支持され、互いに連結棹３０により連動するようになっている。
【００１２】
上記実施形態では、ルーバー１１のフィン１３を上下に区分し、フィン傾斜角調整手段３３によりそれぞれ任意の傾斜角に調整できるようにしている。
【００１３】
上記実施形態では外枠１０の内側中央に設けた支軸１２を共通にして二枚のルーバー１１を回動可能に外枠内に嵌め込み外側でロックするようにしているが、図示しないが、外枠の両端に支軸を設けて、ルーバーが観音開きになるように嵌め、片方のルーバーのロック手段でもって「縦ざる」を構成（ルーバーの自由端と外枠間に）し、該「縦ざる」を設けたルーバーの自由端と他のルーバーの自由端とのあいだに上記ロック手段を設けることもできる。また外枠に一枚のルーバーを嵌めて上記ロック手段を設けることもできる。
【００１４】
上記ロック手段の鉤形摺動片と受容金具の形状は、図面に現れている形状に限るものではなく、要するに摺動部分と受容部分が互いに係合してルーバーがロックされるものであればいずれの形状でもよい。
【００１５】
次にこの発明に係る可脱出ロックルーバーの作用について説明する。図３に示すようにルーバー１１は、外枠１０の中央に設けられた支軸１２により片端が支持されて回動可能に嵌められている。
【００１６】
通常の使用状態では、図４に示すようにルーバー１１の自由端は、外枠１０に嵌まり図１、図２に示すようにロック手段１４のレバー１７が真下に廻され、その作用点に連結された中間リンク１９を介して鉤形摺動片２０が下降し、外枠１０の内側に設けられた受容金具２１内に進入してロック状態になっている。
【００１７】
緊急脱出時には、レバー１７を上方に廻して中間リンク１９を介して鉤形摺動片２０が上昇させ受容金具２１を退出させてロック状態が解除し、把手３４をもってルーバー１１を押すと開放される。なお、外枠１０とルーバー１１との間には図示しないボールプランジャーあるいは三角ゴンベなどを介在させて不用意にルーバー１１が開かないようにしている。
【００１８】
上記のようにレバー１７を上方に廻すと、フィン１３の端に植設された足長鋲２９はレバー１７の円弧状長孔１６の端に蹴り上げられてフィン１３の傾斜が大きくなり閉塞状態になって行くのでフィン１３の隙間から手指を差し込んでロック手段１４を外すことは出来ず外部からの侵入を阻止される。また、フィン１３の端に植設した足長鋲２９は、レバー１７の円弧状長孔１６を貫通しているので、通常の使用状態、即ち、ルーバー１１をロックした状態ではフィン１３の傾斜角を自由に調整することができる。
【００１９】
【発明の効果】
以上説明した通りこの発明によれば、ルーバーのロックを外そうとするとフィンが閉塞する方向に作動するので、ルーバーを破壊しない限り外部からロックを解除することができず、緊急脱出をするときは内部から簡単にロックを外してルーバーを大きく開くことができ、かつ、通常使用状態では、フィンの角度が任意に、しかも分割して調節できるようになる。
【図面の簡単な説明】
【図１】（ａ）この発明に係る実施形態の要部斜視図、（ｂ）同要部断面図
【図２】同作用説明図で（ａ）はロック状態、（ｂ）はロック解除途中の状態図、（ｃ）はロックを解除した状態図
【図３】片方のルーバーを開放した状態図
【図４】室内から観た状態の斜視図
【符号の説明】
１０  外枠
１１  ルーバー
１２  支軸（ルーバーの）
１３  フィン
１４  ロック手段
１５  ピン（レバーの）
１６  円弧状長孔
１７  レバー
１８  ピン（作用点の）
１９  中間リンク
２０  鉤形摺動片
２１  受容金具
２２  把手（レバーの）
２３  摺動子
２４  端部材
２５  軌道溝
２６  アリ溝
２７  取付け片
２８  鋲支持リブ
２９  足長鋲
３０  連結棹
３１  ルーバー枠
３２  支軸（フィンの）
３３  フィン傾斜角調整手段
３４  把手（ルーバーの）
【図１】
0003550088.tif 000002
【図２】
0003550088.tif 000003
【図３】
0003550088.tif 000004
【図４】
0003550088.tif 000005